(57)【要約】    【課題】下部フレーム内に収納された弾性体などの部品の組み忘れを確実に防止する。    【解決手段】固定鉄心４に支持板７を介して弾性体８を取り付け、この固定鉄心４を下部フレーム５内に収納するとともに、前記弾性体８を下部フレーム５と前記電磁コイル２との間で挟み込んで保持するようにした電磁開閉装置において、前記下部フレーム５の弾性体８と対応する位置に貫通孔５ｂを設けることにより、製品組立て後に前記貫通孔５ｂから弾性体８を目視確認できるようにする。【選択図】        図１
2005251607.tif 000002
【特許請求の範囲】
【請求項１】
電磁コイルが巻かれたボビンに固定鉄心の脚部が挿入されるとともに、この固定鉄心に支持板を介して弾性体を取り付け、この固定鉄心を下部フレーム内に収納するとともに、前記弾性体を下部フレームと前記電磁コイルとの間で挟み込んで保持するようにした電磁開閉装置において、
前記下部フレームの前記弾性体と対応する位置に貫通孔を設けたことを特徴とする電磁開閉装置。
【請求項２】
前記貫通孔を弾性体によって封止したことを特徴とする請求項１に記載の電磁開閉装置。
【請求項３】
弾性体を下部フレームとは異なる色としたことを特徴とする請求項１または２に記載の電磁開閉装置。
【請求項４】
電磁コイルが巻かれたボビンに固定鉄心の脚部が挿入されるとともに、この固定鉄心に支持板を介して弾性体を取り付け、この固定鉄心とサージを吸収するサージ吸収素子のサージ吸収リングを下部フレーム内に収納するとともに、前記弾性体を下部フレームと前記電磁コイルとの間で挟み込んで保持するようにした電磁開閉装置において、
前記下部フレームの前記サージ吸収素子のサージ吸収リングと対応する位置に貫通孔を設けたことを特徴とする電磁開閉装置。
【発明の詳細な説明】
【技術分野】
【０００１】
本発明は、固定鉄心を下部フレーム内に弾性体を介して保持するようにした電磁接触器や電磁継電器などの電磁開閉装置に関する。
【背景技術】
【０００２】
この種の電磁開閉装置として、特許文献１に開示された電磁接触器が知られている。図４及び図５はそれぞれ従来構造を示す電磁接触器の正面断面図、側面断面図、図６は図４の分解斜視図である。
図において、１は電磁開閉装置としての電磁接触器であり、電磁コイル２が巻かれたボビン３の中にＥ型の固定鉄心４の中央脚が挿入されており、該固定鉄心４が下部フレーム５内に落とし込みにより収納されている。
前記固定鉄心４はその厚さ方向に貫通孔６が設けられ、この貫通孔６に両端が貫通孔６から突出するように支持板７が挿入されている。また、前記支持板７の固定鉄心４から突出した部分の両端にそれぞれゴムなどの弾性部材からなる弾性体８を装着し、この弾性体８を下部フレーム５の底面と前記電磁コイル２のボビン３に設けた突起３ａとの間で挾持している。
【０００３】
また、下部フレーム５には固定鉄心４の背部のほぼ投影面積だけの凹所５ａが設けられ、この凹所５ａに固定鉄心４の背部と間隙９を設けて弾性シート１０が敷かれている。
固定鉄心４に対向する可動鉄心１１には上部フレーム１８にスライド自在に案内された可動接点支え１３が連結板１２により連結されている。可動鉄心１１と電磁コイル２のボビン３との間には復帰ばね１４が介挿されている。可動接点支え１３には可動接点１５が挿入され、接触ばね１６により保持されている。前記可動接点１５に対向して固定接点１７が上部フレーム１８に固定され、可動接点１５と固定接点１７とは接点カバー１９で覆われている。
なお、図６において、２１は固定接点１７の端子ねじ、２２は補助可動接点、２３は補助固定接点、２４は上部フレーム１８と下部フレーム５とを連結する締付け線ばねである。
【０００４】
このような構成において、電磁コイル２が励磁されると固定鉄心４と可動鉄心１１は互いに吸引し合い可動鉄心１１が移動して固定鉄心４に衝突し、可動接点１５が固定接点１７に接触する。
このとき支持板７の上面の弾性体８が支持板７とボビン３の突起３ａで圧縮されて、緩衝の役目をする。両鉄心４,１１の衝突が完了すると両鉄心４,１１は一体となって下部フレーム５の底面に衝突するがこのとき支持板７の下面の弾性体８が下部フレーム５と支持板７により圧縮され緩衝の役目をなし、さらに弾性シート１０で受けて両鉄心４,１１の運動エネルギーを吸収し、可動鉄心が固定鉄心に衝突する際の衝撃が緩和され、接点のチャタリングや衝撃によるフレームなどの振動を防止することができる。
電磁コイル２の励磁が解かれると、可動鉄心１１は復帰ばね１４の力により固定鉄心４から離れて可動接点１５は固定接点１７から開離して図示状態に復帰する。
【０００５】
なお、前記弾性体８だけで十分な効果が得られる場合には、弾性シート１０を省くことも可能である。
また、直流式の電磁接触器の場合には、前記弾性体８と、サージを吸収するサージ吸収素子のサージ吸収リングを下部フレームの底面に配置して使用することもある。
【特許文献１】実公平７−２９５５３号公報
【発明の開示】
【発明が解決しようとする課題】
【０００６】
ところで、前記した従来構造の電磁開閉装置において、前記固定鉄心は落とし込みにより下部フレーム内に収納されているので、電磁コイルが過電圧や外来サージによって焼損したり、固定鉄心の可動鉄心との吸着面に切粉や繊維屑などの異物が付着して唸るなどの問題が発生した際に、前記固定鉄心を簡単に交換できるようになっている。
前記固定鉄心の交換作業は、上部フレームを取り外して下部フレームに収納されている電磁コイル及び固定鉄心を取り外すとともに、固定鉄心の貫通孔に挿入されている支持板及び弾性体を固定鉄心から一旦取り外す。そして、新しい固定鉄心に前記支持板及び弾性体を取り付け、この弾性体及び支持板を取り付けた固定鉄心と電磁コイルを下部フレーム内に組み込んで、上部フレームを取り付けることにより行われる。
しかしながら、前記固定鉄心の交換作業において、前記支持板及び弾性体は非常に小さな部品でもあり、前記固定鉄心から取り外した支持板及び弾性体を新しい固定鉄心に取り付ける際に、誤って支持板及び弾性体を新しい固定鉄心に組み忘れてしまうことがあった。
【０００７】
前記弾性体を組み忘れてしまった場合でも、一旦上部フレームを取り付けてしまうと外部からは見えないため、組立て後の一般的な確認試験では発見されず、そのまま知らずに使用すると実使用状態で基本性能がでずに電磁接触器本体及びこれを組み込んでいる装置が損傷してしまう恐れがあった。
また、直流式の電磁接触器の場合には、前記弾性体の他に、サージ吸収素子のサージ吸収リングを下部フレーム内に収納して使用することがあるが、このサージ吸収リングの組み忘れがあると、同様に実使用状態で基本性能がでずに電磁接触器本体及びこれを組み込んでいる装置が損傷してしまう恐れがある。
そこで、本発明の課題は、下部フレーム内に収納された弾性体などの部品の組み忘れを確実に防止できるようにした電磁開閉装置を提供することにある。
【課題を解決するための手段】
【０００８】
上記課題を解決するために、請求項１に記載の発明のように、電磁コイルが巻かれたボビンに固定鉄心の脚部が挿入されるとともに、この固定鉄心に支持板を介して弾性体を取り付け、この固定鉄心を下部フレーム内に収納するとともに、前記弾性体を下部フレームと前記電磁コイルとの間で挟み込んで保持するようにした電磁開閉装置において、前記下部フレームの前記弾性体と対応する位置に貫通孔を設けるようにする。
また、前記電磁開閉装置において、前記貫通孔を弾性体によって封止する、あるいは、前記弾性体を下部フレームとは異なる色とするようにしてもよい。
更に、請求項４に記載の発明のように、前記下部フレームの前記サージ吸収素子のサージ吸収リングと対応する位置に貫通孔を設けるようにする。
【発明の効果】
【０００９】
請求項１に記載の発明によれば、製品の組立て後に、下部フレームに設けた貫通孔より弾性体の有無を目視確認することにより、下部フレーム内に収納された弾性体の組み忘れを確実に防止することができる。
また、請求項４に記載の発明によれば、下部フレームに設けた貫通孔よりサージ吸収リングの有無を目視確認することにより、下部フレーム内に収納されたササージ吸収リングの組み忘れを防止することができる。
【発明を実施するための最良の形態】
【００１０】
以下、図１〜図３に基づいてこの発明の実施の形態について説明する。
図１は本発明の実施の形態を示す電磁接触器の正面断面図、図２は図１の側面断面図、図３は図１の下部フレームを底面側から見た斜視図である。
図において、２０は、本発明の実施形態を示す電磁開閉装置としての電磁接触器であり、従来と同様に電磁コイル２を巻いたボビン３の中にＥ型の固定鉄心４の中央脚が挿入されており、該固定鉄心４の貫通孔６に両端が固定鉄心４から突出するように支持板７が挿入されている。また、前記支持板７の固定鉄心４から突出した部分にそれぞれ弾性体８を取付け、この弾性体８を下部フレーム５とボビン３に設けた突起３ａとの間で挟み込んで保持するようにしている。
この実施例において、従来例と異なる点は、下部フレーム５の弾性体８と対応する位置に外部から弾性体８を目視できる貫通孔５ｂ，５ｂを設けた点である。
【００１１】
なお、本発明における電磁接触器の基本的な構成は、図４乃至図６に示す従来構造の電磁接触器と同じであるので、同一符号を付してその詳細な説明は省略する。
図において、下部フレーム５には、図３に示すように下部フレームの底面を貫通する貫通孔５ｂ，５ｂが設けられている。この貫通孔５ｂ，５ｂは、図６の分解斜視図に示す下部フレーム５内に収納される弾性体８，８と対応する位置に設けられており、下部フレーム５の底面側から貫通孔５ｂ，５ｂを通して下部フレーム５内に収納された弾性体８，８を目視できるようになっている。
また、前記弾性体８は下部フレーム５内に貫通孔５ｂを封止するように配置されている。よって、下部フレーム５の外部から貫通孔５ｂを通して下部フレーム５の内部にゴミ等が侵入することはない。
【００１２】
このような構成において、電磁コイル２の焼損や固定鉄心４の可動鉄心１１との吸着面に異物が付着して唸るなどの問題が発生した際には、下部フレーム５内に収納された固定鉄心４を取り外して新しい固定鉄心に交換する作業を行う。
この固定鉄心の交換作業は、まず、上部フレーム１８を取り外して下部フレーム５に収納された電磁コイル２及び固定鉄心４を下部フレーム５から取り外し、固定鉄心４の貫通孔６に挿入されている支持板７及び弾性体８を固定鉄心４から一旦取り外す。次に、新しい固定鉄心の貫通孔に前記支持板７を挿入し、該支持板７の固定鉄心４から突出した部分の両端にそれぞれ弾性体８を装着する。そして、前記弾性体８及び支持板７を取り付けた新しい固定鉄心と電磁コイル２を下部フレーム５内に落とし込んで収納した後、上部フレーム１８を下部フレーム５に取り付けることにより組立てが完了する。
【００１３】
この固定鉄心の交換作業において、固定鉄心に支持板７を介して取り付ける弾性体８の組み忘れがあると、電磁接触器の実施用状態で故障などを引き起こす恐れがある。そこで、本実施例では、固定鉄心の交換作業後に、下部フレーム５内に収納された固定鉄心４に弾性体８や支持板７の組み忘れがないかどうかを下部フレーム５に設けた貫通孔５ｂから目視できるようにした。
下部フレーム５内に収納された固定鉄心４に弾性体８や支持板７の組み忘れがないかどうかを確認するには、固定鉄心の交換作業後に下部フレーム５の底面に設けた貫通孔５ｂ，５ｂから弾性体８，８の有無を目視確認すればよい。
前記下部フレーム５に設けた貫通孔５ｂから弾性体８が見えれば、弾性体８や支持板７の組み忘れがないことがわかるので、その後の実使用状態で弾性体８や支持板７の組み忘れによる製品の故障などを引き起こす恐れはない。
【００１４】
また、前記貫通孔５ｂ，５ｂから弾性体８や支持板７が見えない場合、あるいは弾性体８が一つしか見えない場合には、弾性体８や支持板７の組み忘れがあることがわかるので、その場合には、あらためて電磁接触器本体を分解して弾性体８を組み込む作業を行う。
このように本実施例によれば、下部フレーム５に設けた貫通孔５ｂから弾性体８の有無を目視確認することにより、固定鉄心を交換した際の弾性体８や支持板７の組み忘れを防止できるので、弾性体８や支持板７の組み忘れによる製品の故障などを未然に防ぐことができ、信頼性を向上させることができる。
なお、本実施例では、主に固定鉄心を交換した際の弾性体の組み忘れについて説明したが、製品組立て後の状態で弾性体の有無を貫通孔から目視確認するようにして製品組立て後の弾性体の組み忘れを防止するようにしてもよい。
【００１５】
また、前記実施例において、弾性体８と下部フレーム５とは、同じ色で構成するようにしてもよいが、弾性体８と下部フレーム５とを例えば黒と白などの異なる色とすることにより、目視確認をよりわかりやすくすることができる。
更に、直流式の電磁接触器の場合には、前記弾性体とサージ吸収素子のサージ吸収リングを下部フレームの底面に配置して使用することがある。その場合には、前記下部フレームの前記サージ吸収リングと対応する位置に貫通孔を設け、該貫通孔から前記サージ吸収リングの有無を目視確認するようにする。
このような構成によれば、下部フレーム内に収納されたサージ吸収リングの組み忘れも防止できるようになる。なお、サージ吸収リング確認用の貫通孔と弾性体確認用の貫通孔を下部フレームに両方設けるようにしてもよい。
【図面の簡単な説明】
【００１６】
【図１】本発明の実施の形態を示す電磁接触器の正面断面図
【図２】図１に示す電磁接触器の側面断面図
【図３】図１に示す下部フレームを底面側から見た斜視図
【図４】従来構造を示す電磁接触器の正面断面図
【図５】図４に示す電磁接触器の側面断面図
【図６】図４に示す電磁接触器の分解斜視図
【符号の説明】
【００１７】
２      電磁コイル
３      ボビン
４      固定鉄心
５      下部フレーム
５ｂ    貫通孔
７      支持板
８      弾性体
【図１】
2005251607.tif 000003
【図２】
2005251607.tif 000004
【図３】
2005251607.tif 000005
【図４】
2005251607.tif 000006
【図５】
2005251607.tif 000007
【図６】
2005251607.tif 000008